(57)【要約】【課題】カウンターの強度を十分確保しつつ、洗面ボールの上方を完全に覆い、仮置きスペースとして有効に利用することのできる、洗面ボールがカウンターに配設された洗面カウンターを提供する。【解決手段】カウンター２の洗面ボール１に臨む左右両側部の内部に空所が形成され、空所内にスライドさせて引き出せるトレイ９が内蔵され、トレイを左右両側から引き出して召し合せ、洗面ボールの上方を完全に覆うことにより仮置きスペースが形成される。【選択図】図１
2008048944.tif 000002
【特許請求の範囲】
【請求項１】
洗面ボールがカウンターに配設された洗面カウンターにおいて、カウンターの洗面ボールに臨む左右両側部の内部に空所が形成され、空所内にスライドさせて引き出せるトレイが内蔵され、トレイを左右両側から引き出して召し合せ、洗面ボールの上方を完全に覆うことにより仮置きスペースが形成されることを特徴とする洗面カウンター。
【請求項２】
トレイの表面部に洗面ボールの奥側に向かう排出勾配が形成され、トレイの召し合わされる先端部の奥側に排出孔が形成されていることを特徴とする請求項１に記載の洗面カウンター。
【発明の詳細な説明】
【技術分野】
【０００１】
本発明は、洗面化粧台等の上端部に配設可能な、洗面ボールがカウンターに配設された洗面カウンターに関する。
【背景技術】
【０００２】
洗面化粧台等において濡れたものを仮置きするために、たとえば図５に示したように、洗面ボール１の上方に仮置きトレイ５１を設置することがあるが、仮置きトレイ５１については、不要なときにしまっておく収納スペースが必要であるという保管上の問題があった。また、仮置きトレイ５１は、保管の制約から洗面ボール１の上方を完全に覆うほどの大きさを有するものではないため、洗面ボール１の上方を仮置きスペースとして有効に利用することができないという問題もあった。
【０００３】
一方、本出願人は、化粧台本体のカウンター部に上方へ開口する収納スペースと洗面ボールとを並設し、収納スペースおよび洗面ボールの上方開口が両者間で移動される蓋状載置用板にて開閉されるように、蓋状載置用板をカウンター部にスライド自在に係合させて付設した洗面化粧台を提案している（特許文献１）。
【０００４】
上記洗面化粧台には、蓋状載置用板を洗面ボール側へ移動させ、その上方開口を閉じるとともに収納スペースの上方開口を開けた状態として収納スペースの手前側で化粧、整髪等の作業を行えば、その際に、手前側から化粧品、整髪料等の小物を見やすい状態で容易に出し入れすることができ、取り出した小物を作業者の側方に位置する蓋状載置用板上に仮置きすることができ、作業しやすく使い勝手が良好となるという利点がある。
【特許文献１】特開平１１−２６７０５２号公報
【発明の開示】
【発明が解決しようとする課題】
【０００５】
したがって、上記洗面化粧台によって、洗面ボールの上方を完全に覆い、仮置きスペースを形成することが可能である。
【０００６】
しかしながら、上記洗面化粧台には、化粧台本体のカウンター部に収納スペースと洗面ボールとを並設しているため、カウンター部の上面はその略全面が枠状に開口されており、カウンター部の強度を十分に確保することが少々難しいという面がある。また、収納スペースが必ずしも必要とされず、洗面ボールのみが配設される洗面化粧台については、蓋状載置用板をどのようにしてカウンター部に付設するか十分な検討が必要とされる。
【０００７】
本発明は、以上の通りの事情に鑑みてなされたものであり、カウンターの強度を十分確保しつつ、洗面ボールの上方を完全に覆い、仮置きスペースとして有効に利用することのできる、洗面ボールがカウンターに配設された洗面カウンターを提供することを課題としている。
【課題を解決するための手段】
【０００８】
本発明の洗面カウンターは、上記の課題を解決するために、以下のことを特徴としている。
【０００９】
第１に、洗面ボールがカウンターに配設された洗面カウンターにおいて、カウンターの洗面ボールに臨む左右両側部の内部に空所が形成され、空所内にスライドさせて引き出せるトレイが内蔵され、トレイを左右両側から引き出して召し合せ、洗面ボールの上方を完全に覆うことにより仮置きスペースが形成される。
【００１０】
第２に、上記において、トレイの表面部に洗面ボールの奥側に向かう排出勾配が形成され、トレイの召し合わされる先端部の奥側に排出孔が形成されている。
【発明の効果】
【００１１】
上記第１の発明によれば、カウンターの洗面ボールに臨む左右両側部の内部に空所が形成され、空所内にトレイがスライドさせて引き出し可能に内蔵されるが、トレイの大きさは洗面ボールの上部の略半分とすることができ、空所の大きさはトレイに対応させることができるので、カウンターの強度は十分確保される。また、トレイを左右両側から引き出して召し合わせると、洗面ボールの上方を完全に覆うことができ、洗面ボールの上方を含めたカウンターの全面を凹凸の少ない仮置きスペースとして有効に利用することができる。
【００１２】
上記第２の発明によれば、上記の発明の効果に加え、トレイの上面に水等が溜まった場合には、洗面カウンターが配設されるキャビネット等に水等が浸入しないように、洗面ボールに向けて排出することができる。
【発明を実施するための最良の形態】
【００１３】
図１は、本発明の洗面カウンターの一実施形態を示した斜視図である。図２は、図１に示した洗面カウンターのＡ−Ａ断面図である。
【００１４】
図１に示した洗面カウンターでは、洗面ボール１と横長形状を有するカウンター２とが一体に形成され、洗面ボール１がカウンター２に配設されている。洗面ボール１、カウンター２はともにたとえば樹脂、ステンレス等から形成することができる。カウンター２の長手方向の前端縁には前垂れ３が垂下延設されている。後端縁にはバックガード４が起立して延設されている。洗面ボール１には、後端部に段部５が設けられ、カラン６が段部５に配設されている。洗面ボール１の内底面の最低位には排水口７が設けられている。
【００１５】
カウンター２において、洗面ボール１に臨む左右両側部の内部には、図２に示したような洗面ボール１側に開放された空所８が形成されている。空所８には、洗面ボール１の上部の略半分の大きさを有するトレイ９が内蔵されている。トレイ９は、図１および図２図中に示した矢印方向、すなわち、カウンター２の長手方向にスライド自在であり、空所８は洗面ボール１側に開放されているので、洗面ボール１の前端縁１０および後端縁１１に沿って空所８から洗面ボール１側へ引き出し、また、空所８内へ収納が可能となっている。トレイ９の先端裏面部には、図２に示したように、厚さ方向に切り欠かれて取っ手部１２が形成されており、トレイ９の引き出し操作を容易としている。また、トレイ９の先端部奥側には、図１に示したように、カラン６の本体の外形の一部形状に一致する形状を有する切欠部１３が形成されている。具体的には、カラン６の本体は円筒形状であるため、切欠部１３は１/４円形とされている。このようなトレイ９もたとえば樹脂、ステンレス等から形成することができる。
【００１６】
カウンター２には、また、図２に示したように、洗面ボール１に臨む左右両側端部の端縁にパッキン１４が空所８に向けて配設されている。パッキン１４は、空所８内に水等が浸入するのを防止するとともに、トレイ９の表面にカウンター２の洗面ボール１側の側端縁部が当たって傷が付くのを防止している。パッキン１４は樹脂、ゴム等から形成することができる。
【００１７】
以上のような図１および図２に示した洗面カウンターでは、普段の洗面ボール１の使用に際しては、トレイ９は、空所８内に収納され、カウンター２の内部に配置される。この状態ではトレイ９は洗面ボール１の使用の邪魔とならない。
【００１８】
一方、濡れたものや脱衣したもの等を洗面カウンターに仮置きしたい場合には、トレイ９を左右両側から引き出し、洗面ボール１の前端縁１０および後端縁１１に沿ってスライドさせ、洗面ボール１の中央部まで引き出す。図３および図３図中のＢ−Ｂ断面を示した図４に示したように、トレイ９は、洗面ボール１の中央部上方において互いに召し合わされる。トレイ９の大きさは、洗面ボール１の上部の略半分であるので、左右のトレイ９を召し合わせることにより洗面ボール１の上方が完全に覆われる。トレイ９を含めたカウンター２の全面を仮置きスペース１５として利用することが可能となる。仮置きスペース１５は、凹凸の少ない仮置きに適したものである。
【００１９】
このように、洗面カウンターでは、カウンター２の洗面ボール１に臨む左右両側部の内部に空所８が形成され、空所８内にトレイ９がスライドさせて引き出し可能に内蔵されているが、トレイ９の大きさは洗面ボール１の上部の略半分とすることができ、空所８の大きさはトレイ９に対応させることができるので、カウンター２の強度は十分確保される。また、トレイ９を左右両側から引き出して召し合わせると、洗面ボール１の上方を完全に覆うことができ、洗面ボール１の上方を含めたカウンター２の全面を凹凸の少ない仮置きスペース１５として有効に利用することができる。
【００２０】
また、洗面カウンターでは、図３に示したように、トレイ９の表面部に洗面ボール１の奥側のカラン６に向かう排出勾配１６が形成され、召し合わされるトレイ９の先端部の奥側に略三日月形状の排出孔１７が形成されている。このような排出勾配１６および排出孔１７によって、濡れたもの等を仮置きスペース１５に仮置きしたとき、トレイ９の上面に水等が溜まる場合に、洗面カウンターが配設されるキャビネット等に水等が浸入しないように、洗面ボール１に向けて排出することができる。
【００２１】
以上に例示される本発明の洗面カウンターは、キャビネット等の上端部に配設され、洗面化粧台等を形成することができる。また、洗面カウンターでは、トレイ９のスライドは、たとえば図４に示したように、洗面ボール１の前後の端縁に断面略コ字型形状の凹部１８を設け、凹部１８にトレイ９の端縁部を差し込み、凹部１８に沿った摺動を可能とすることにより実現することもできる。
【００２２】
なお、本発明の洗面カウンターにおいては、洗面ボール１、カウンター２およびトレイ９の形状は上記の実施形態に制限されない。各種の態様が可能である。また、カラン６の配設位置についても同様である。
【図面の簡単な説明】
【００２３】
【図１】本発明の洗面カウンターの一実施形態を示した斜視図である。
【図２】図１に示した洗面カウンターのＡ−Ａ断面図である。
【図３】図１に示した洗面カウンターにおいて、トレイを引き出して召し合せ、洗面ボールの上方を完全に覆い、仮置きスペースが形成された状態を示した斜視図である。
【図４】図３図中のＢ−Ｂ断面図である。
【図５】洗面カウンターに仮置きトレイを設置する場合を示した分解斜視図である。
【符号の説明】
【００２４】
１  洗面ボール
２  カウンター
８  空所
９  トレイ
１５  仮置きスペース
１６  排出勾配
１７  排出孔
【図１】
2008048944.tif 000003
【図２】
2008048944.tif 000004
【図３】
2008048944.tif 000005
【図４】
2008048944.tif 000006
【図５】
2008048944.tif 000007